(57)【要約】      （修正有）【課題】プリンタ本体ユニットに取り付けたオペレーション基板とプリンタケースに配置したオペレーションパネルを正確に位置決めできるようにしたプリンタを提案すること。【解決手段】プリンタでは、プリンタケースの上ケース３をプリンタ本体ユニットに組み付けると、上ケース３側のオペレーションパネル７の左右に形成されているパネル側位置決め用突起７Ｌ、７Ｒが、プリンタ本体ユニットに取り付けた基板ホルダ９に、基板面方向に移動可能な状態で保持されているオペレーション基板８の左右の基板側位置決め用切り欠き溝８Ｌ、８Ｒに差し込まれる。この結果、オペレーション基板８が基板面方向に移動して、オペレーションパネル７に対して位置決めされた状態が形成される。これらの位置ずれに起因して発生するスイッチボタン操作を確実に行うことができない、ＬＥＤの点滅状態を外側から確認できない等の弊害を回避できる。【選択図】図３
2008230014.tif 000002
【特許請求の範囲】
【請求項１】
少なくともボタンスイッチが配置されているオペレーション基板と、
前記ボタンスイッチの操作カバーが形成されているオペレーションパネルと、
前記オペレーション基板を、当該オペレーション基板の基板面方向に移動可能な状態で保持しているプリンタ本体ユニットと、
前記オペレーションパネルが配置されているプリンタケースと、
前記オペレーション基板に形成された基板側位置決め用係合部と、
前記オペレーションパネルに形成されており、前記プリンタケースを前記プリンタ本体ユニットに組み付けると、前記基板側位置決め部に対して前記基板面方向の側から係合した状態になるパネル側位置決め用係合部とを有していることを特徴とするプリンタ。
【請求項２】
請求項１に記載のプリンタにおいて、
前記基板側位置決め用係合部および前記パネル側位置決め用係合部は、それらの一方が前記基板面方向に直交する方向に突出している係合突起であり、それらの他方が当該係合突起を差込可能な係合溝あるいは係合穴であることを特徴とするプリンタ。
【請求項３】
請求項２に記載のプリンタにおいて、
前記係合突起と前記係合溝あるいは係合穴とは、前記基板面方向における直交する二方向から係合した状態になることを特徴とするプリンタ。
【請求項４】
請求項１に記載のプリンタにおいて、
前記プリンタ本体ユニットに取り付けた基板ホルダを有し、
当該基板ホルダによって、前記オペレーション基板が前記基板面方向に移動可能な状態で保持されていることを特徴とするプリンタ。
【請求項５】
請求項４に記載のプリンタにおいて、
前記基板ホルダは、前記オペレーション基板を保持している基板保持面と、前記オペレーション基板が当該基板保持面から浮き上がらないように保持している保持爪とを備え、
前記基板保持面に直交する方向から、前記オペレーション基板を当該基板保持面に押し込むと、当該基板保持面と前記保持爪の間に前記オペレーション基板が挟まれた状態が形成されるようになっていることを特徴とするプリンタ。
【請求項６】
請求項４に記載のプリンタにおいて、
前記基板ホルダに形成されているホルダ側当接部と、
前記オペレーションパネルに形成され、前記プリンタケースを前記プリンタ本体ユニットに組み付けると前記ホルダ側当接部に押し付けられた状態になるパネル側当接部とを有し、
前記パネル側当接部と前記ホルダ側当接部の当接により、前記オペレーションパネルと前記基板ホルダに保持されている前記オペレーション基板の間隔が規定されることを特徴とするプリンタ。
【請求項７】
請求項６に記載のプリンタにおいて、
前記基板ホルダは、前記プリンタ本体ユニットに固定されている固定部と、この固定部から片持ち状態で突出している基板保持部とを備え、
この基板保持部には前記基板保持面および前記保持爪が形成されており、
この基板保持部の先端側の部位には前記ホルダ側当接部が形成されていることを特徴とするプリンタ。
【発明の詳細な説明】
【技術分野】
【０００１】
本発明は、ボタンスイッチ操作部、ＬＥＤ表示部などが配列されたオペレーションパネルがプリンタケースに配置されているプリンタに関し、オペレーションパネルが形成されているプリンタケースの部分が複雑な構造とならず、オペレーションパネルとその裏面に取り付けたオペレーション基板の位置決めを正確に行うことができ、しかも、組み付け作業が簡単なプリンタに関するものである。
【背景技術】
【０００２】
プリンタには、各種の設定、各種の状態表示を行うために、プリンタケースの一部にオペレーションパネルが配置されたものが知られている。オペレーションパネルの裏面側には、ボタンスイッチおよびＬＥＤが配列されたオペレーション基板が取り付けられており、これらボタンスイッチに対応するオペレーションパネルの部位には可撓性のスイッチ操作部が形成され、ＬＥＤに対応するオペレーションパネルの部位には透明な表示窓が形成されている。特許文献１、２、３には、このようなオペレーションパネルを備えたプリンタが開示されている。
【０００３】
従来においては、オペレーションパネルが配置されているプリンタケースにオペレーション基板の取付部を一体形成し、プリンタケースにオペレーション基板を取り付けた後に、プリンタケースをプリンタ本体ユニットに組み付けるようにしている。あるいは、オペレーションパネルにオペレーション基板が組み付けられたオペレーションユニットをプリンタケースに取り付けた後に、プリンタケースをプリンタ本体ユニットに組み付けるようにしている。
【０００４】
この場合には、プリンタケースにオペレーションパネルおよびオペレーション基板の取付部を一体形成し、あるいは、オペレーションユニットの取付部を一体形成する必要があり、プリンタケースが複雑な構造となり、当該プリンタケースの成形金型が複雑化しコスト高になるという問題がある。また、プリンタケースに取り付けたオペレーション基板から引き出されている配線を、プリンタケースをプリンタ本体ユニットに組み付ける際にプリンタ本体ユニット側のメイン基板に接続する接続作業が必要である。したがって、組み付け作業の作業性が悪く、また、オペレーション基板から引き出されている配線を長くしておく必要がある。
【０００５】
そこで、特許文献３に開示されているように、オペレーション基板をプリンタ本体ユニットの側に取り付けておくことが考えられる。このようにすれば、プリンタケースの側の形状をシンプルにすることができ、金型コストも低減できる。また、プリンタケースの組付け時にオペレーション基板の配線を行う必要がないので、組み付け作業が容易となり、オペレーション基板から引き出されている配線も短くて済む。
【特許文献１】特開平１１−２６８３７６号公報
【特許文献２】特開２００３−２６６８６２号公報
【特許文献３】特開平０７−６８８９９号公報
【発明の開示】
【発明が解決しようとする課題】
【０００６】
しかしながら、オペレーション基板をプリンタ本体ユニットの側に取り付ける場合には、プリンタケースの組み付け誤差、部品誤差などに起因して、オペレーションパネルとオペレーション基板を正確に位置決めすることができず、オペレーションパネルに対してオペレーション基板がその基板面方向にずれた状態になることがある。また、それらの間隔が広すぎる状態あるいは狭すぎる状態になることがある。
【０００７】
オペレーションパネルがオペレーション基板に対して基板面方向にずれてしまうと、オペレーションパネルのスイッチ操作部の位置が裏面側のオペレーション基板のボタンスイッチから横方にずれた状態になるので、スイッチ操作を操作してもボタンスイッチを確実に押すことができない等の問題が発生する。また、オペレーションパネルの表示窓からＬＥＤの点滅状態を目視することが困難になる等の問題が発生する。オペレーションパネルとオペレーション基板の間隔が広すぎる場合にも同様な問題が発生する。
【０００８】
本発明の課題は、このような点に鑑みて、プリンタ本体ユニットに取り付けたオペレーション基板とプリンタケースに配置したオペレーションパネルを正確に位置決めできるようにしたプリンタを提案することにある。
【課題を解決するための手段】
【０００９】
上記の課題を解決するために、本発明のプリンタは、
少なくともボタンスイッチが配置されているオペレーション基板と、
前記ボタンスイッチの操作カバーが形成されているオペレーションパネルと、
前記オペレーション基板を、当該オペレーション基板の基板面方向に移動可能な状態で保持しているプリンタ本体ユニットと、
前記オペレーションパネルが配置されているプリンタケースと、
前記オペレーション基板に形成された基板側位置決め用係合部と、
前記オペレーションパネルに形成されており、前記プリンタケースを前記プリンタ本体ユニットに組み付けると、前記基板側位置決め部に対して前記基板面方向の側から係合した状態になるパネル側位置決め用係合部とを有していることを特徴としている。
【００１０】
本発明のプリンタでは、プリンタケースをプリンタ本体ユニットに組み付けると、プリンタケース側のオペレーションパネルに形成されているパネル側位置決め用係合部が、プリンタ本体ユニットに保持されているオペレーション基板の基板側位置決め用係合部に係合する。これらは、オペレーション基板の基板面方向の側から係合するので、基板面方向に移動可能な状態でプリンタ本体ユニットに保持されているオペレーション基板が、その基板面方向に移動して、プリンタケース側のオペレーションパネルに対して正確に位置決めされる。
【００１１】
ここで、前記基板側位置決め用係合部および前記パネル側位置決め用係合部としては、それらの一方を前記基板面方向に直交する方向に突出している係合突起とし、それらの他方を、当該係合突起を差込可能な係合溝あるいは係合穴とすることができる。
【００１２】
この場合、前記係合突起と前記係合溝あるいは係合穴を、前記基板面方向における直交する二方向から係合した状態になるようにすることが望ましい。
【００１３】
次に、前記プリンタ本体ユニットに基板ホルダを取り付け、当該基板ホルダによって、前記オペレーション基板を前記基板面方向に移動可能な状態で保持する構成を採用することができる。
【００１４】
この場合には、前記基板ホルダに、前記オペレーション基板を保持している基板保持面と、前記オペレーション基板が当該基板保持面から浮き上がらないように保持している保持爪とを配置し、前記基板保持面に直交する方向から、前記オペレーション基板を当該基板保持面に押し込むと、当該基板保持面と前記保持爪の間に前記オペレーション基板が挟まれた状態が形成されるようにすれば、基板ホルダに対するオペレーション基板の取り付けを簡単に行うことができる。
【００１５】
また、前記基板ホルダにホルダ側当接部を形成し、前記オペレーションパネルに、前記プリンタケースを前記プリンタ本体ユニットに組み付けると前記ホルダ側当接部に押し付けられた状態になるパネル側当接部を形成しておくことが望ましい。このようにすれば、前記パネル側当接部と前記ホルダ側当接部の当接により、前記オペレーションパネルと前記基板ホルダに保持されている前記オペレーション基板の間隔を正確に規定することができる。すなわち、プリンタケースをプリンタ本体ユニットに組み付けると、プリンタケースの側に配置されているオペレーションパネルのパネル側当接部が、プリンタ本体ユニットに取り付けられている基板ホルダのホルダ側当接部に押し付けられた状態になる。オペレーションパネルのパネル側当接部によって基板ホルダが強制的に押し付けられるので、オペレーションパネルに予めオペレーション基板を取り付けておいた場合と同様な状態が形成される。よって、プリンタケース側のオペレーションパネルとプリンタ本体ユニット側のオペレーション基板との間隔を精度良く規定できる。
【００１６】
この場合には、前記基板ホルダに、前記プリンタ本体ユニットに固定されている固定部と、この固定部から片持ち状態で突出している基板保持部とを形成し、この基板保持部に前記基板保持面および前記保持爪を形成し、この基板保持部の先端側の部位に前記ホルダ側当接部を形成しておくことが望ましい。片持ち状態で張り出している基板保持部が容易に変位して、パネル側当接部とホルダ側当接部が過剰な押圧力で押し付けられた状態に陥ることを回避できる。
【発明の効果】
【００１７】
本発明のプリンタでは、プリンタケースをプリンタ本体ユニットに組み付けると、プリンタケース側のオペレーションパネルに形成されているパネル側位置決め用係合部が、プリンタ本体ユニットに保持されているオペレーション基板の基板側位置決め用係合部に係合する。これらは、オペレーション基板の基板面方向の側から係合するので、基板面方向に移動可能な状態でプリンタ本体ユニットに保持されているオペレーション基板が、その基板面方向に移動して、プリンタケース側のオペレーションパネルに対して正確に位置決めされる。したがって、これらが相対的に位置ずれした状態に組み付けられてスイッチボタン操作を確実に行うことができない、ＬＥＤなどの表示ランプの点滅状態が外側から確認することが困難になる等の弊害の発生を回避できる。
【発明を実施するための最良の形態】
【００１８】
以下に、図面を参照して、本発明を適用したプリンタの実施の形態を説明する。
【００１９】
図１は本実施の形態に係るプリンタを示す外観斜視図であり、プリンタ１は、例えば単票紙、連続紙などの記録紙にドットインパクトヘッドを用いて印字を行うインパクトプリンタである。プリンタ１のプリンタケース２は、上ケース３と下ケース４から構成されており、プリンタケース２の前面には、記録紙をプリンタ１の前側からプリンタ内部に向けて水平に案内するための水平用紙ガイド５が取り付けられている。水平用紙ガイド５の上側には透明な円弧状の開閉カバー６が取り付けられている。これらプリンタケース２、水平用紙ガイド５および開閉カバー６はプラスチック成形品である。
【００２０】
上ケース３における前側に傾斜している円弧状の上端部分の右側部位には、横長の長方形のオペレーションパネル７が配置されている。オペレーションパネル７は上ケース３に一体成形されているが、オペレーションパネル７を別部材として成形し、これを上ケース３に取り付けた構造でもよい。また、オペレーションパネル７の形状は横長の長方形以外の形状であってもよい。
【００２１】
図２は、上ケース３を取り外した状態のプリンタ１を示す分解斜視図であり、この図においては水平用紙ガイド５および開閉カバー６を省略してある。プリンタケース２によって覆われているプリンタ本体ユニット１０は例えば次のような構造となっている。勿論、これ以外の構造のものであってもよい。すなわち、プリンタ本体ユニット１０は、板金製の装置フレーム１１と、装置フレーム１１の左右の側板部分１２、１３の間に水平に掛け渡したキャリッジガイド１４と、このキャリッジガイド１４に沿って左右に往復移動するヘッドキャリッジ１５を備えており、ヘッドキャリッジ１５には下向き状態でドットインパクトヘッド１６が搭載されている。
【００２２】
例えば、水平用紙ガイド５によって前方から送り込まれ記録紙は搬送ローラ１７によってドットインパクトヘッド１６の印字位置を経由する水平な経路に沿って後方に送り込まれながら印字が行われる。印字後は再び前方に送り出されて、再び水平用紙ガイド５に沿って前方に排出される。また、連続紙は、プリンタ１の後側からドットインパクトヘッド１６の印字位置に送り込まれ、順次に前方に送り出されて水平用紙ガイド５に沿って前方に排出される。
【００２３】
図３（ａ）および（ｂ）は、オペレーションパネル７が形成されている部分を示す部分拡大横断面図および部分拡大縦断面図である。図１ないし図３を参照して説明すると、上ケース３のオペレーションパネル７の裏面には一定の間隔で、横長の長方形をしたオペレーション基板８が対峙している。オペレーション基板８の形状は横長の長方形以外の形状であってもよい。オペレーション基板８は、その基板面方向（基板長辺方向および基板短辺方向）に移動可能な状態で、プラスチック成形品である基板ホルダ９に保持されている。基板ホルダ９はプリンタ本体ユニット１０の装置フレーム１１に固定されている。
【００２４】
オペレーション基板８には、各種の設定を行うためのボタンスイッチ、例えば４個のボタンスイッチ２１〜２４と、各種の状態を表示するための複数のＬＥＤ、例えば６個のＬＥＤ２５〜３０が搭載されている。オペレーションパネル７には、ボタンスイッチ２１〜２４に対峙する部位に外側に突出している可撓性のスイッチ操作部３１〜３４と、ＬＥＤ２５〜３０に対峙する部位に透明な表示窓３５〜４０が形成されている。また、オペレーション基板８には配線用のフレキシブルフラットケーブル１８の一端が接続されている。フレキシブルフラットケーブル１８の他方の端は装置フレーム１１の側に搭載されているメイン基板１９の側に接続されている。
【００２５】
ここで、図３（ａ）、（ｂ）から分かるように、上ケース３をプリンタ本体ユニット１０に組み付けた状態においては、上ケース３側のオペレーションパネル７に形成した左右のパネル側位置決め用突起７Ｌ、７Ｒが、プリンタ本体ユニット１０側のオペレーション基板８に形成した左右の基板側位置決め用切り欠き溝８Ｌ、８Ｒに差し込まれた状態となる。これらパネル側位置決め用突起７Ｌ、７Ｒと、基板側位置決め用切り欠き溝８Ｌ、８Ｒとは、オペレーション基板８の基板長辺方向および基板短辺方向の二方向から係合し、これによって、オペレーションパネル７に対するオペレーション基板８の基板面方向の位置が正確に規定されるようになっている。なお、位置決め用の突起をオペレーション基板８の側に形成し、この突起が差し込まれる位置決め用の盲穴をオペレーションパネル７の裏面に形成しておくことも可能である。
【００２６】
これに加えて、上ケース３側のオペレーションパネル７に形成した間隔規定用のリブ７１（パネル側当接部）が、プリンタ本体ユニット１０側に取り付けられている基板ホルダ９に形成した間隔規定用の前側枠板部分９１（ホルダ側当接部）に押し付けられた状態となっている。これらリブ７１および前側枠板部分９１が当接することによって、オペレーションパネル７と、基板ホルダ９に保持されているオペレーション基板８との間隔が正確に規定されている。
【００２７】
図３〜図６を参照して、オペレーションパネル７、オペレーション基板８および基板ホルダ９の構造を詳細に説明する。
【００２８】
図４（ａ）は上ケース３を裏面側から見た場合の斜視図であり、図４（ｂ）は当該上ケース３の裏面におけるオペレーションパネル７が形成されている部分を示す拡大部分斜視図である。図３および図４を参照して説明すると、オペレーションパネル７は、上ケース３に一体成形した横長の長方形の平板状のものであり、その平坦な裏面７０には、４個のスイッチ操作部用の円形凹部３１ａ〜３４ａと、６個のＬＥＤ表示窓用の円形凹部３５ａ〜４０ａが形成されている。また、その前側の長辺縁に沿って一定の間隔で、複数枚、本例では５枚の三角形状をした一定厚さのリブ７１が垂直に起立している。さらに、その長辺方向の両側の部位には、パネル側位置決め用突起７Ｌ、７Ｒが裏面７０から垂直に突出している。これらの突起７Ｌ、７Ｒは十字状断面形状をしており、先端部分は先細り形状をしている。また、パネル長辺方向の内方を向いている長辺側垂直係合面７０１Ｌ、７０１Ｒと、パネル短辺方向の両側に形成された短辺側垂直係合面７０２Ｌ、７０３Ｌおよび７０２Ｒ、７０３Ｒとを備えている。
【００２９】
図５はプリンタ本体ユニット１０の側に搭載されている基板ホルダ９およびオペレーション基板８を示す斜視図であり、図６はこれらの分解斜視図である。図３、図５および図６を参照して説明すると、オペレーション基板８は横長の長方形をした一定厚さの基板であり、その表面８０には、先に述べたように、４個のボタンスイッチ２１〜２４と、６個のＬＥＤ２５〜３０が搭載されている。また、オペレーション基板８にはコネクタ８１が搭載されており、ここから後方に向けて配線用のフレキシブルフラットケーブル１８が引き出されている。コネクタ８１の側方の部位には、左右一対の差込穴８２が形成されており、ここに、基板接地用の導電性板ばね８３（図５参照）が差し込み固定されている。
【００３０】
さらに、オペレーション基板８の前側の長辺縁には、後方に切り込むことにより形成した所定深さの基板ガイド溝８４が形成されており、この基板ガイド溝８４が付いている側が前側の長辺縁であることが分かるようになっている。さらには、オペレーション基板８の左右の短辺縁は矩形に切り込まれて、基板側位置決め用切り欠き溝８Ｌ、８Ｒが形成されている。各切り欠き溝８Ｌ、８Ｒは、基板長辺方向の外方を向いている長辺側係合端面８０１Ｌ、８０１Ｒと、基板短辺方向の両側に形成された短辺側係合端面８０２Ｌ、８０３Ｌおよび８０２Ｒ、８０３Ｒとを備えている。
【００３１】
一方、基板ホルダ９は、装置フレーム１１の側に固定された固定部９Ａと、この固定部９Ａの前面から前方に片持ち状態で張り出している基板保持部９Ｂとを備えている。基板保持部９Ｂは、底板部分９０と、この底板部分９０の前縁および左右の側縁から起立している前側枠板部分９１、左側枠板部分９２および右側枠板部分９３とを備えている。オペレーション基板８は、これら前側枠板部分９１、左側枠板部分９２および右側枠板部分９３によって囲まれる部位に上側から装着されている。基板ホルダ９の底板部分９０には複数の箇所に基板保持用突起９５ないし１０２が形成されており、これら上端に形成した基板保持面９５ａ〜１０２ａによって、オペレーション基板８はオペレーションパネル７に平行な姿勢となるように保持されている。
【００３２】
基板保持用突起９９〜１０２の基板保持面９９ａ〜１０２ａの後端に連続して上方に傾斜した傾斜面９９ｂ〜１０２ｂが形成されている。また、前側枠板部分９１には３箇所に保持爪１０４〜１０６が形成され、底板部分９０から起立している左右の起立板１０７、１０８の上端部分にも保持爪１０７ａ、１０８ａが形成されている。上側から基板保持面９５ａ〜１０２ａに載せたオペレーション基板８は、これらの前後の保持爪１０４〜１０６、１０７ａおよび１０８ａによって、当該基板保持面９５ａ〜１０２ａから浮き上がらないように保持されている。
【００３３】
オペレーション基板８を基板ホルダ９に取り付ける場合には、オペレーション基板８を基板保持面９５ａ〜１０２ａの上方から当該基板保持面９５ａ〜１０２ａに押し込めばよい。この際に、基板ホルダ９の底板部分９０の前側枠板部分９１に形成されているガイド用突起１０９にオペレーション基板８の基板ガイド溝８４が入るように位置決めし、オペレーション基板８の前縁部分を保持爪１０４〜１０６の下側に差し込み、この状態で、オペレーション基板８の後側の縁部を押し込む。この押し込み動作によって、後側の保持爪１０７ａ、１０８ａが一時的に後方に押されて、オペレーション基板８の後側の縁部が保持爪１０７ａおよび１０８ａの下側に嵌め込まれる。これにより、オペレーション基板８が基板保持面９５ａ〜１０２ａに保持された状態が形成される。
【００３４】
ここで、前側の保持爪１０４〜１０６と後側の保持爪１０７ａ、１０８ａの間隔は、オペレーション基板８の短辺方向の寸法よりも僅かに広い。同様に、基板ホルダ９の左側枠板部分９２および右側枠板部分９３の間隔もオペレーション基板８の長辺方向の寸法よりも僅かに広い。したがって、基板ホルダ９に保持されたオペレーション基板８は、その基板短辺方向および基板長辺方向に僅かに移動可能な状態となっている。
【００３５】
上ケース３をプリンタ本体ユニット１０に組み付けると、上ケース３に形成されているオペレーションパネル７の左右のパネル側位置決め用突起７Ｌ、７Ｒが、プリンタ本体ユニット１０側の基板ホルダ９によって保持されているオペレーション基板８の左右の基板側位置決め用切り欠き溝８Ｌ、８Ｒに差し込まれる。先細り形状のパネル側位置決め用突起７Ｌ、７Ｒによって、オペレーション基板８はその基板面方向（基板短辺方向および基板長辺方向）に押されて移動し、オペレーションパネル７に対する基板面方向の位置決めがなされる。
【００３６】
すなわち、パネル側位置決め用突起７Ｌ、７Ｒの長辺側垂直係合面７０１Ｌ、７０１Ｒと、基板側位置決め用切り欠き溝８Ｌ、８Ｒの長辺側係合端面８０１Ｌ、８０１Ｒとの係合により、オペレーション基板８の長辺方向の位置決めがなされる。同様に、突起７Ｌ、７Ｒの短辺側垂直係合面７０２Ｌ、７０３Ｌおよび７０２Ｒ、７０３Ｒと、切り欠き溝８Ｌ、８Ｒの短辺側係合端面８０２Ｌ、８０３Ｌおよび８０２Ｒ、８０３Ｒとの係合により、オペレーション基板８の短辺方向の位置決めがなされる。
【００３７】
なお、本例では、オペレーション基板８の前側の長辺縁には、凹凸部８５、８６が形成され、当該長辺縁と基板ホルダ９の前側枠板部分９１とが、これら凹凸部８５、８６の部位のみで接触した状態となっている。したがって、これらの間の摺動抵抗が少ないので、オペレーション基板８の基板長辺方向の位置決めがスムーズに行われる。
【００３８】
一方、上ケース３に形成したオペレーションパネル７と、プリンタ本体ユニット１０の側のオペレーション基板８との間隔は、オペレーションパネル７のリブ７１が基板ホルダ９の前側枠板部分９１に押し付けられることにより規定される。すなわち、図３（ｂ）に示すように、プリンタ本体ユニット１０に上ケース３を組み付けると、リブ７１の下端面７１ａが基板ホルダ９の前側枠板部分９１の上端面９１ａに上側から押し付けられた状態が必ず形成されるように、リブ７１の突出量および前側枠板部分９１の突出量が設定されている。
【００３９】
この結果、上ケース３をプリンタ本体ユニット１０に組み付けると、リブ７１が所定の押圧力で前側枠板部分９１に押し付けられた状態が形成され、オペレーションパネル７と基板ホルダ９の間隔が、これらリブ７１および前側枠板部分９１によって規定される。よって、基板ホルダ９に保持されているオペレーション基板８とオペレーションパネル７の間隔が規定される。ここで、前側枠板部分９１は基板ホルダ９における片持ち状態で前方に張り出している基板保持部９Ｂの前端部に形成されている。したがって、前側枠板部分９１とリブ７１の間の押圧力が過剰となる場合には、当該片持ち状態の基板保持部９Ｂの前端側の部位が容易に下側に変位して、これらの間の押圧力が所定値以下に抑制される。よって、オペレーションパネル７の部分、あるいは、基板ホルダ９の部分に過剰な力が加わった状態になることを回避できる。
【００４０】
以上説明したように、本実施の形態に係るプリンタ１においては、プリンタ本体ユニット１０の側に取り付けられているオペレーション基板８を、オペレーションパネル７が形成されている上ケース３の裏面部分に予め取り付けられている場合と同様な精度で、オペレーションパネル７に対して正確に位置決めできる。
【００４１】
また、オペレーション基板８がプリンタ本体ユニット１０の側に搭載されているので、上ケース３の側にオペレーション基板８を取り付けるための取付部を形成しておく必要がない。よって、上ケース３のオペレーションパネル形成部分の構造をシンプルにすることができ、成形金型のコスト低減化に有利である。
【００４２】
さらに、オペレーションパネル７が形成されている上ケース３をプリンタ本体ユニット１０に組み付ける際には、オペレーション基板８から引き出されているフレキシブルフラットケーブル１８をプリンタ本体ユニット１０の側のメイン基板１９に接続する配線作業が不要である。よって、上ケース３の組み付け作業の作業性を改善でき、フレキシブルフラットケーブル１８の長さも短くて済む。
【図面の簡単な説明】
【００４３】
【図１】本発明を適用したプリンタの外観斜視図である。
【図２】上ケースを組み付ける前の状態を示す分解斜視図である。
【図３】オペレーションパネルが形成されている部位の部分拡大断面図である。
【図４】上ケースの裏面を示す斜視図およびオペレーションパネルを示す部分拡大斜視図である。
【図５】プリンタ本体ユニット側のオペレーション基板および基板ホルダの斜視図である。
【図６】オペレーション基板および基板ホルダの分解斜視図である。
【符号の説明】
【００４４】
１  プリンタ、２  プリンタケース、３  上ケース、４  下ケース、５  水平用紙ガイド、６  開閉カバー、７  オペレーションパネル、７Ｌ，７Ｒ  パネル側位置決め用突起、７０１Ｌ，７０１Ｒ  長辺側垂直係合面、７０２Ｌ，７０３Ｌ，７０２Ｒ，７０３Ｒ  短辺側垂直係合面、８  オペレーション基板、８Ｌ，８Ｒ  基板側位置決め用切り欠き溝、８０１Ｌ，８０１Ｒ  長辺側係合端面、８０２Ｌ，８０３Ｌ，８０２Ｒ，８０３Ｒ  短辺側係合端面、９  基板ホルダ、９Ａ  固定部、９Ｂ  基板保持部、１０  プリンタ本体ユニット、１１  装置フレーム、１２，１３  側板部分、１４  キャリッジガイド、１５  ヘッドキャリッジ、１６  ドットインパクトヘッド、１７  搬送ローラ、１８  フレキシブルフラットケーブル、１９  メイン基板、２１〜２４  ボタンスイッチ、２５〜３０  ＬＥＤ、３１〜３４  スイッチ操作部、３５〜４０  表示窓、７０  裏面、７１  リブ、７１ａ  下端面、７１ａ  下端面、８０  表面、８１  コネクタ、８２  差込穴、８３  導電性板ばね、８４  基板ガイド溝、９０  底板部分、９１  前側枠板部分、９１ａ  上端面９２  左側枠板部分、９３  右側枠板部分、９５ａ〜１０２ａ  基板保持面
【図１】
2008230014.tif 000003
【図２】
2008230014.tif 000004
【図３】
2008230014.tif 000005
【図４】
2008230014.tif 000006
【図５】
2008230014.tif 000007
【図６】
2008230014.tif 000008